(57)【要約】【課題】棚部材の脱落を確実に防止し、また冷気循環を阻害しない棚受金を提供する。【解決手段】断熱箱体１８の内部側壁と棚柱３２に、側部棚受金２８が夫々装着される。断熱箱体１８の後部後壁に、後部棚受金３８が装着される。側部棚受金２８と後部棚受金３８に棚網３６が載置される。棚網３６の延出部５２ａは、後部棚受金３８の規制孔に前側から挿入されて、棚網３６の水平方向左右および上下方向の移動が規制される。従って、棚網３６の前部に偏って被冷蔵物品を載置した場合においても、該棚網３６が前側に傾くことはなく、被冷蔵物品が滑り落ちて傷んだり破損するのを防止すると共に、棚網自体が棚受金２８，３８から脱落するのも防止し得る。また、後部棚受金３８の前板４０ａと内部後壁との間には後部冷気通路４２が確保される。【選択図】  図１
2004245471.tif 000002
【特許請求の範囲】
【請求項１】
前方に開放する箱体（１８）の内壁に着脱可能に装着されて、物品（２０）が載置される棚部材（３６）を支持する棚受金（３８）であって、
前記棚部材（３６）の一辺が載置される支持部（４４）と、
前記棚部材（３６）に設けられた被規制部（５２ａ）が挿脱可能な規制孔（４６）とを有し、
前記被規制部（５２ａ）を規制孔（４６）に挿入することで、前記棚部材（３６）の水平および上下方向への移動を規制するよう構成した
ことを特徴とする棚受金。
【請求項２】
前方に開放する断熱箱体（１８）の内部に、被冷蔵物品（２０）が収納される貯蔵室（２２）が画成され、該貯蔵室（２２）が冷却器（５８）から吹出される冷気により冷却されるよう構成した貯蔵庫（１０）における前記貯蔵室（２２）の内部後壁に着脱可能に装着されて、前記被冷蔵物品（２０）が載置される棚部材（３６）を支持する棚受金（３８）であって、
前記棚部材（３６）の幅と略同一の幅寸法に設定され、該棚部材（３６）の後辺が載置される支持部（４４）と、
前記棚部材（３６）に設けられた被規制部（５２ａ）が前側から挿脱可能な規制孔（４６）とを有し、
前記被規制部（５２ａ）を規制孔（４６）に挿入することで、前記棚部材（３６）の水平および上下方向への移動を規制すると共に、
前記貯蔵室（２２）の内部後壁と前記支持部（４４）との間に、前記冷却器（５８）から吹出される冷気の通路（４２）を確保するよう構成した
ことを特徴とする棚受金。
【発明の詳細な説明】
【０００１】
【発明の属する技術分野】
この発明は、冷蔵庫や冷凍ショーケース等の貯蔵庫に内部画成した貯蔵室の内壁に着脱可能に装着されて、被冷蔵物品が載置される棚部材を支持する棚受金に関するものである。
【０００２】
【従来の技術】
業務用の大型冷蔵庫や店頭に設置される冷凍ショーケース等の貯蔵庫の本体は、外側ケーシングとしての外箱と貯蔵室を画成する内箱との間に、断熱材を充填発泡等の手段で介在させることにより断熱箱体として構成されている。そして、断熱箱体の内部に配設した冷却器で熱交換された冷気を、貯蔵室に強制循環することで、該室内を所要温度に冷却するようになっている。また前記内箱における側板や後板の複数箇所には、上下方向に所定間隔で複数の係止孔が穿設され、同一平面内の係止孔に係止した複数の棚受金に棚網を載置するよう構成してある。そして、この棚網に被冷蔵物品を載置して陳列状態で冷蔵保存するようになっている（例えば、特許文献１）。
【０００３】
【特許文献１】
特開平１０−２４６５６６号公報
【０００４】
【発明が解決しようとする課題】
しかし、前述した貯蔵庫では、複数の棚受金に棚網が載置されているだけなので、該棚網に載置される被冷蔵物品の載置状態、例えば前部に偏って被冷蔵物品が載置された場合には、該棚網が傾いて棚受金から脱落し、被冷蔵物品を傷めたり破損してしまう問題がある。また内箱に直接配設された棚受金に棚網を載置すると、内箱内面と棚網の外周端との間には隙間が殆どなくなるため、棚網全体に被冷蔵物品を陳列した状態では、前記冷却器で熱交換された冷気の循環が良好に行なわれず、貯蔵室温度を設定温度まで冷却するのに時間が掛かると共に、室内全体を均一に冷却し得なくなる不都合を生ずる。なお、被冷蔵物品の移動を規制するガイド部材を棚網に配設することで、冷気通路を確保することは可能であるが、この場合には棚網の構成が複雑になると共に、該棚網を段積みして保管したり運搬等を行なう際には嵩張る難点が指摘される。
【０００５】
【発明の目的】
この発明は、前述した従来の技術に内在している前記課題に鑑み、これを好適に解決するべく提案されたものであって、棚部材の脱落を確実に防止し、また冷気循環を阻害しない棚受金を提供することを目的とする。
【０００６】
【課題を解決するための手段】
前記課題を克服し、所期の目的を好適に達成するため、本発明に係る棚受金は、
前方に開放する箱体の内壁に着脱可能に装着されて、物品が載置される棚部材を支持する棚受金であって、
前記棚部材の一辺が載置される支持部と、
前記棚部材に設けられた被規制部が挿脱可能な規制孔とを有し、
前記被規制部を規制孔に挿入することで、前記棚部材の水平および上下方向への移動を規制するよう構成したことを特徴とする。
【０００７】
また、前記課題を克服し、所期の目的を好適に達成するため、本願の別の発明に係る棚受金は、
前方に開放する断熱箱体の内部に、被冷蔵物品が収納される貯蔵室が画成され、該貯蔵室が冷却器から吹出される冷気により冷却されるよう構成した貯蔵庫における前記貯蔵室の内部後壁に着脱可能に装着されて、前記被冷蔵物品が載置される棚部材を支持する棚受金であって、
前記棚部材の幅と略同一の幅寸法に設定され、該棚部材の後辺が載置される支持部と、
前記棚部材に設けられた被規制部が前側から挿脱可能な規制孔とを有し、
前記被規制部を規制孔に挿入することで、前記棚部材の水平および上下方向への移動を規制すると共に、
前記貯蔵室の内部後壁と前記支持部との間に、前記冷却器から吹出される冷気の通路を確保するよう構成したことを特徴とする。
【０００８】
【発明の実施の形態】
次に、本発明に係る棚受金につき、好適な実施例を挙げて、添付図面を参照しながら、以下詳細に説明する。図１または図３に示す如く、実施例に係る棚受金が配設される貯蔵庫としての冷蔵ショーケース１０の本体は、外箱１２、内箱１４および両箱体１２，１４の間に充填した発泡ウレタン等の断熱材１６からなる断熱箱体（箱体）１８として構成され、その内部（内箱の内部）には被冷蔵物品（物品）２０が収納される貯蔵室２２が画成されている。また、断熱箱体１８には前方に開放する矩形状の前方開口部１８ａが設けられ、該開口部１８ａは、スライド自在に配設された前後一対の透視扉２４，２４により開閉されるようになっている。なお、各透視扉２４は、図２に示す如く、前方開口部１８ａの略半分を閉成し得る寸法に形成した枠体に、例えばガラスやアクリル板等の透視板を配設して構成される。
【０００９】
前記断熱箱体１８の貯蔵室２２における前部両側面には、図１に示すように、後述する棚網３６の外端縁から離間する外側（断熱材側）に向けて凹設される側部冷気通路２６が夫々上下方向に延在するよう画成されている。また、各側部冷気通路２６より奥側の内部側壁（内箱の側板）には、上下方向に離間して複数の側部係止孔（図示せず）が形成され、該側部係止孔を介して側部棚受金２８が室内に着脱自在に装着されるよう構成される。更に、断熱箱体１８の内部後壁（内壁であって内箱の後板）には、幅方向の略中央を挟む左右の領域において、幅方向に離間する一対の後部係止孔３０，３０が、上下方向に離間して夫々複数形成され、対をなす後部係止孔３０，３０を介して後述する後部棚受金３８が室内に着脱自在に装着されるようになっている。
【００１０】
また、前記貯蔵室２２の前部における幅方向の略中央に、平断面コ字状の棚柱３２が上下方向に延在するよう配設され、該棚柱３２における各内部側壁を指向する部位に、該内部側壁に穿設した側部係止孔と等間隔で側部係止孔３４（図３参照）が上下方向に複数穿設されて、各側部係止孔を介して側部棚受金２８が棚柱３２に着脱自在に装着されるよう構成される。そして、実施例の冷蔵ショーケース１０においては、同一平面内における複数の側部係止孔３４および後部係止孔３０に、夫々側部棚受金２８または後部棚受金３８を装着した状態で、図１に示す如く、幅方向の中央を挟んで左右両側に夫々棚部材としての棚網３６が載置されるようになっている。また棚網３６は、図３に示すように上下方向に多段で配設され、夫々の棚網３６に被冷蔵物品２０が載置される。
【００１１】
図６（ａ），（ｂ）に示す前記後部棚受金３８は、前記棚網３６の幅と略同一の幅寸法に設定された前板４０ａと、該前板４０ａの幅方向両端部から後方に向けて所定長さ延出する一対の側板４０ｂ，４０ｂとからなる後方に開放するコ字状の本体４０を有する。両側板４０ｂ，４０ｂの後端には、他方の側板４０ｂ（内側）に向けて略直角に折曲されて前板４０ａと平行な当接部４０ｃが夫々形成されると共に、各当接部４０ｃに前記後部係止孔３０に係脱可能な係合片４０ｄが設けられている。すなわち、左右一対の係合片４０ｄ，４０ｄを後部係止孔３０，３０に係合すると共に、両当接部４０ｃ，４０ｃを内部後壁に当接することで（図５参照）、当該後部棚受金３８が内部後壁に装着される。なお、この後部棚受金３８の装着状態で、本体４０の前板４０ａ（支持部４４）と貯蔵室２２の内部後壁との間には、上下方向に開放する後部冷気通路（通路）４２が画成され、該通路４２を介して冷気の循環が効率的に行なわれるよう構成されている。
【００１２】
また、前記本体４０の前板４０ａには、その前面下端から前方に略水平に延出する支持部４４が、該前板４０ａの幅方向の全長に亘って折曲形成され、該支持部４４に、前記棚網３６の後述する枠体４８における後辺（一辺）が載置されるよう構成される。なお、支持部４４の前端縁には、上方に向けて略直角に折曲された規制片４４ａが形成され、支持部４４に棚網３６の枠体後辺を載置した際に、該枠体４８の前側への移動を規制片４４ａで規制するようになっている。すなわち、前板４０ａと規制片４４ａとにより、棚網３６の水平方向前後への移動を規制するよう構成してある。また本体４０の前板４０ａは、棚網３６に載置された被冷蔵物品２０の後方への移動を規制して、前記後部冷気通路４２が被冷蔵物品２０で塞がれることがないようにしている。なお、前記規制片４４ａの高さ寸法は、棚網３６における枠体後辺の高さ寸法と略同一に設定される。
【００１３】
前記後部棚受金３８の本体４０における前板４０ａには、その幅方向の略中央位置に規制孔４６が前後に貫通するよう形成され、この規制孔４６に、棚網３６に設けられた延出片５２ａ（後述）が前側から挿脱可能に挿入されるよう構成される。この規制孔４６の幅寸法および高さ寸法は、前記延出片５２ａの対応する幅寸法および高さ寸法より僅かに大きく設定され、図５に示すように、該延出片５２ａを規制孔４６に挿入した状態で、棚網３６の水平方向左右および上下方向への移動を規制し得るようになっている。
【００１４】
前記棚網３６は、図１に示す如く、略矩形状に形成された枠体４８の上面に、前後方向に延在する複数の桟材５０，５２を、幅方向に所定間隔離間して平行に配設して構成され、上下方向の冷気流通が可能に構成されている。そして、枠体４８の左右の側辺および後辺が、対応する側部棚受金２８，２８および後部棚受金３８に載置されて、該棚網３６は貯蔵室内に略水平に支持されるようになっている。なお、枠体４８における後辺の前後寸法は、後部棚受金３８における前板４０ａと規制片４４ａとの離間距離より僅かに小さく設定され、該後辺が両部材４０ａ，４４ａに前後から挟まれた状態で前記支持部４４に載置されるよう構成される。
【００１５】
前記枠体４８における幅方向の略中央に配設された中央桟材５２は、図１に示す如く、前方に開放するＵ字状に形成され、その後端部が枠体後辺より所定長さだけ延出し、この延出部５２ａが前記後部棚受金３８の規制孔４６に挿入される被規制部として機能するよう構成される。また桟材群の前端上面に、幅方向に延在するガイド材５４が配設され、該ガイド材５４は、棚網３６の最前部に載置される被冷蔵物品２０の前方への移動を規制するべく機能する。
【００１６】
前記断熱箱体１８の内部上方には、図３および図４に示す如く、冷却室を画成するダクト５６が配設され、このダクト５６の内部に図示しない冷凍装置に接続する冷却器５８が配置されている。またダクト５６の内部には、冷却器５８の配設位置より前側に臨む位置に庫内ファン６０が配設され、該ファン６０を回転することにより、貯蔵室２２の前面側の空気が冷却器５８に吸込まれると共に、該冷却器５８で熱交換された冷気は該ファン６０によって貯蔵室２２の後面側に吹出されるよう構成される。そして、庫内ファン６０により送られる冷気は、前記後部冷気通路４２を介して底部側に下降した後、前記側部冷気通路２６，２６を介して上昇して冷却器５８に帰還する循環を繰返すようになっている。
【００１７】
【実施例の作用】
次に、実施例に係る冷蔵ショーケースの作用につき説明する。前記断熱箱体１８の貯蔵室２２内における上下方向に離間する同一平面内に臨む複数の側部係止孔３４および後部係止孔３０に、側部棚受金２８および後部棚受金３８を夫々装着する。そして、幅方向中央を挟んで左側に位置する複数の側部棚受金２８および後部棚受金３８に棚網３６を載置すると共に、右側に位置する複数の側部棚受金２８および後部棚受金３８に棚網３６を載置することで、図１または図３に示すように、貯蔵室２２内には複数の棚網３６が左右に離間して上下に多段的に配設される。
【００１８】
このとき、前記棚網３６の延出部５２ａは、図５に示す如く、前記後部棚受金３８の規制孔４６に前側から挿入されて、該棚網３６の水平方向左右および上下方向の移動が規制されている。従って、棚網３６に被冷蔵物品２０を載置する際に、例えば前部に偏って被冷蔵物品２０を載置した場合においても、該棚網３６が前側に傾くことはなく、被冷蔵物品２０が滑り落ちて傷んだり破損するのを防止すると共に、棚網自体が棚受金２８，３８から脱落するのも防止し得る。また、棚網３６における枠体４８の後辺は、後部棚受金３８の支持部４４に載置された状態で、その水平方向前後への移動が前記規制片４４ａと前板４０ａとにより規制されているから、被冷蔵物品２０を取出す際に棚網３６が共に引出されてしまうのは防止される。なお、棚網３６が傾いたり脱落するのを防止する手段（規制孔４６）を後部棚受金３８に設けたことで、別部品を用いる必要はなく、部品コストが上昇したり組付け工数が増えることはない。
【００１９】
更に、前記各棚網３６の全面に、被冷蔵物品２０を陳列状態で載置しても、前述した如く、後部棚受金３８によって内部後壁との間に後部冷気通路４２が確保されると共に、前部側部には側部冷気通路２６，２６が夫々確保されている。また棚網３６に載置された最後部の被冷蔵物品２０は、前記後部棚受金３８の前板４０ａによって後方への移動は規制されているから、前記後部冷気通路４２が被冷蔵物品２０で覆われることはない。
【００２０】
前記冷凍装置の運転を開始すると、前記冷却器５８における吸込側（前面側）の貯蔵室内空気は、前記庫内ファン６０の回転により冷却器５８に吸込まれて熱交換が行なわれた後、貯蔵室内の後面側に吹出される。この後面側に吹出された冷気は、前記後部棚受金３８の前板４０ａと内部後壁との間に画成された後部冷気通路４２を介して下降し、前記棚網３６に載置されている被冷蔵物品２０を冷却する。貯蔵室２２の底部まで下降した冷気は、後面側から前面側に移動した後、前記側部冷気通路２６，２６を介して上昇し、再び冷却器５８に帰還する循環を反復する。すなわち、前記庫内ファン６０から貯蔵室内に送られた冷気は、被冷蔵物品２０の各棚網３６への載置状態に左右されることなく、前記後部冷気通路４２および側部冷気通路２６，２６を介して貯蔵室内に隈なく行き渡り、貯蔵室２２の全体をムラなく効率的に冷却し得る。
【００２１】
【変更例】
実施例では、棚網の後部に設けた被規制部を後部棚受金に設けた規制孔に挿入する場合で説明したが、棚網の側部に設けた被規制部を側部棚受金（棚受金）に設けた規制孔に挿入する構成を採用し得る。また被規制部は、実施例では桟材の一部を兼用したが、別途棚網の枠体に設けるようにしてもよい。
【００２２】
実施例では断熱箱体の内部に左右に２列で棚網を配設した場合につき説明したが、左右には１列で上下にのみ多段的に棚網を配設するものであってもよい。また棚部材としては、実施例のような棚網に限らず棚板を採用することもできる。更に、断熱箱体に配設される扉の型式としては、実施例のようなスライド式でなく、一側部を回動自在に枢支した開閉式の扉であってもよい。更にまた、側部または後部の各棚受金を貯蔵室内に装着するための係止部としては係止孔に限らず、棚受金が係脱自在に係止可能な突部や段部等であってもよく、棚柱の係止孔も突部や段部等に変更可能である。なお、棚受金を配設する対象物としては、室内が冷却される貯蔵庫に限らず、陳列棚や家具等であってもよい。
【００２３】
【発明の効果】
以上説明した如く、本発明に係る棚受金によれば、棚部材に設けた被規制部が挿脱可能な規制孔を棚受金に設けたことで、棚部材に対して物品が一部に偏って載置されても、該棚部材が棚受金から脱落するのを確実に防止することができる。また、貯蔵庫において本発明に係る棚受金を採用することで、該棚受金により冷気通路を確保することができ、棚部材や被冷蔵物品の載置状態に左右されることなく貯蔵室内の冷気循環が効率的に行なわれ、室内温度を均一にし得る。
【図面の簡単な説明】
【図１】本発明の好適な実施例に係る棚受金が配設される冷蔵ショーケースの概略横断平面図である。
【図２】実施例に係る冷蔵ショーケースの正面図である。
【図３】実施例に係る冷蔵ショーケースの概略縦断側面図である。
【図４】実施例に係る冷蔵ショーケースにおける冷却器の配設位置を示す要部概略縦断側面図である。
【図５】実施例に係る冷蔵ショーケースの後部棚受金の配設位置を示す要部概略縦断側面図である。
【図６】実施例に係る後部棚受金を示すものであって、（ａ）は平面図であり、（ｂ）は正面図である。
【符号の説明】
１０  冷蔵ショーケース（貯蔵庫），１８  断熱箱体（箱体）
２０  被冷蔵物品（物品），２２  貯蔵室，３６  棚網（棚部材）
３８  後部棚受金（棚受金），４２  後部冷気通路（通路），４４  支持部
４６  規制孔，５２ａ  延出部（被規制部），５８  冷却器
【図１】
2004245471.tif 000003
【図２】
2004245471.tif 000004
【図３】
2004245471.tif 000005
【図４】
2004245471.tif 000006
【図５】
2004245471.tif 000007
【図６】
2004245471.tif 000008